(57)【要約】【課題】本発明は多数の伝送装置で構成するＧＭＰＬＳのネットワークの始点と終点の伝送装置間に設定される運用系ルートに対応する予備系ルートの制御方式に関し，ＧＭＰＬＳのネットワークにおいて運用系ルートを確定した状態で，予備系ルートを無駄に帯域を専有することなく予備系ルートを形成することを目的とする。【解決手段】始点の伝送装置から予備系ルートの伝送装置に対して送信される予備系パス設定メッセージ中に，当該予備系ルート上の各伝送装置の予備系パスを仮予約することを指示する情報を設け，予備系パス設定メッセージを受け取った各伝送装置はそれぞれの帯域管理テーブルの該当する予備系のパスを外部からは空き状態として認識される仮予約の状態に設定するよう構成する。【選択図】図１
2008060755.tif 000002
【特許請求の範囲】
【請求項１】
多数の伝送装置で構成するＧＭＰＬＳのネットワークの始点と終点の伝送装置間に設定される運用系ルートに対応する予備系ルートの制御方式において，
前記始点の伝送装置から予備系ルートの伝送装置に対して送信される予備系パス設定メッセージ中に，当該予備系ルート上の各伝送装置の予備系パスを仮予約することを指示する情報を設け，
前記予備系パス設定メッセージを受け取った各伝送装置はそれぞれの帯域管理テーブルに該当する予備系パスを外部からは空き状態として認識される仮予約の状態に設定することを特徴とする予備系ルートの制御方式。
【請求項２】
請求項１において，
前記伝送装置の帯域管理テーブルの予備系パスが仮予約に設定されると，前記ネットワークの終点の伝送装置から，始点の伝送装置側へ送られるリザーブメッセージ（Reserve MSG) を受け取っても前記帯域管理テーブルの仮予約の状態を変更しないで維持すると共に，隣接する他の伝送装置に対して前記帯域管理テーブルの状態の広告を行わないことを特徴とする予備系ルートの制御方式。
【請求項３】
請求項１において，
前記予備系パス設定メッセージ中の各伝送装置の予備系パスを仮予約することを指示する情報は，第２のルートオブジェクト（ＳＥＲＯ）の先頭に設けた予備系パス設定メッセージを表すビット列により構成することを特徴とする予備系ルートの制御方式。
【請求項４】
多数の伝送装置で構成するＧＭＰＬＳのネットワークの始点と終点の伝送装置間に設定される運用系ルートに対応する予備系ルートの制御方式において，
前記始点の伝送装置から予備系ルートの伝送装置に対して送信される予備系パス設定メッセージにより当該予備系ルート上の各伝送装置の予備系パスを仮予約することを指示する情報として，第２のルートオブジェクト（ＳＥＲＯ）の先頭に設けた予備系パス設定メッセージを表すビット列により構成するか，前記予備系パス設定メッセージ中のラベルサブオブジェクトの中のリザーブビットにより構成するか，または予備系パスの仮予約を行わないかの何れか一つを予め選択し，
前記予備系パス設定メッセージを受け取った各伝送装置はそれぞれの帯域管理テーブルの該当する予備系パスを外部からは空き状態として識別される仮予約の状態に設定することを特徴とする予備系ルートの制御方式。
【請求項５】
請求項１乃至４の何れかにおいて，
前記運用系ルートに故障が発生すると，故障を検出した伝送装置から前記始点の伝送装置に対して警告メッセージを送信し，
前記始点の伝送装置は，前記警告メッセージを受信すると前記予備系ルートに対して運用系への切替用パスメッセージを送信し，
前記切替用パスメッセージを受けた各伝送装置はそれぞれの帯域管理テーブルの予備系パスの状態を仮予約から使用中の状態に更新して予備系ルートを運用系ルートに切替えると共に，更新した帯域管理テーブルを隣接する他の伝送装置に広告して各伝送装置の帯域管理テーブルを更新することを特徴とする予備系ルートの制御方式。
【請求項６】
請求項５において，
前記始点の伝送装置は，前記障害が発生した運用系ルートに対してパス削除メッセージを送信して，該当する各伝送装置の帯域管理テーブルの運用系パスの状態を使用中から空きの状態に設定し，経路計算部により前記更新した帯域管理テーブルを用いて計算を行い新たな予備系ルートを求めることを特徴とする予備系ルートの制御方式。
【請求項７】
請求項１において，
前記予備系ルート上の予備系パスが設定された伝送装置が，前記予備系ルートの始点と終点が異なる別のネットワークの伝送装置を始点とするネットワークの運用系パスとして使用する場合，前記予備系パスに対して設定された仮予約の状態を開放し，改めて経路計算部による計算により予備系ルートを再構築することを特徴とする予備系ルートの制御方式。
【発明の詳細な説明】
【技術分野】
【０００１】
本発明は，ＧＭＰＬＳ（Generalized Multi-Protocol Label Switching) のネットワークの始点と終点の伝送装置間に設定された運用系ルートに対応する予備系ルートの制御方式に関する。
【背景技術】
【０００２】
近年，ＩＰ網にラベルスイッチの概念を導入することでパスによる網の運用を可能とするＭＰＬＳ（Multi-Protocol Label Switching) が利用されているが, ＩＰ網だけでなく，ＳＤＨ（Synchronous Digital Hierachy) ／ＳＯＮＥＴ(Synchronous Optical NETwork) のようなＴＤＭ（Time Division Multiplexing) 網，波長スイッチ網等を含むパス網の運用を自律分散的に行う技術としてＧＭＰＬＳがＩＥＴＦ（Internet Engineering Task Force)のＣＣＡＭＰ（Commn Control and Measurement Plane)−ＷＧ（Working Groop)ＯＩＦ(Optical Internetworking Forum) ，ＩＴＵ(International Telecommunication Union) 等で議論されて標準化作業がすすめられて一部が実用化されつつある。
【０００３】
このＧＭＰＬＳにより異なる装置間でのパス開通が標準化され，パスを高速に開通するＢｏＤ（Bandwidth on Demand)サービス，複数レイヤの一元管理による効率的な網運用が可能となる。ＧＭＰＬＳでは，ＩＰパケットにＭＰＬＳヘッダを付与し，ＭＰＬＳヘッダ内のラベルを基に網内を転送され，このようなパケット転送の仕組みがラベルスイッチと呼ばれる。ラベルとしては，タイムスロット，波長群，ファイバ等の様々なものが適用できる。
【０００４】
ＧＭＰＬＳでは，シグナリング，ルーチング，リンク管理のプロトコルが定められ，それらのプロトコルではスイッチング・ケーパビリティ（Switching Capability) と呼ばれる概念が用いられ，ＩＰ網，Ｌ２スイッチ網，ＴＤＭ網，波長スイッチ網，ファイバスイッチ網等でパス制御のための各ケーパブルが定義されている。シグナリングプロトコルとしては，経路に沿ってパスを設定するための手順としてＲＳＶＰ−ＴＥ（Resource ReSerVation Protocol-Traffic Engineering)を拡張したものが定められている。ルーチングでは, 網内のリンクの状態をリンクステートとして網内にフラッディング（ネットワークを構成する各伝送装置が，それぞれが持つ情報をネットワーク全体に流し，全ての伝送装置が持つ情報を集めてデータベースとして共有することで，ネットワークの状態を検知・把握する仕組みであり，ルーチングプロトコルが自伝送装置データベースをフラッディングすることを「広告」と呼ぶ）し，各伝送装置が網内のリンクの状態を自律分散的に把握するための手順が定められている。ルーチングプロトコルとしてはリンクステート型のルーチングプロトコルであるＯＳＰＦ−ＴＦ（Open Shortest Path First-Traffic Engineering) を拡張した種々のパス網のリンク情報をフラッディングできるようになっている。
【０００５】
ＧＭＰＬＳ機能を搭載した複数の装置によりリング（Ring) ネットワークを構築してパスを設定する場合の従来の技術について図１６，図１７を用いて説明する。図１６はＧＭＰＬＳネットワークの構成例，図１７は従来の基本的なパス設定シーケンスである。
【０００６】
図１６において，５０は入力伝送路，５１〜５６はネットワークを構成するＧＭＰＬＳ機能を搭載した伝送装置（♯１〜♯６で表す），５７は出力伝送路である。各伝送装置♯１〜♯６は伝送路により順次接続され，ＧＭＰＬＳ機能を用いて自動的にパスを設定（シグナリング）することができる。
【０００７】
パス設定シーケンスを図１７を用いて説明する。図１７内の５１（♯１）〜５４（♯４）は図１６の同じ符号の伝送装置（５１〜５４）を表し，♯１を始点（ingress で表示）とし，♯４を終点(egress で表示）とするパス設定を行うものとする。ここで，ＧＭＰＬＳの上記ＯＳＰＦ機能により，ネットワークのトポロジマップ，及び各伝送装置の帯域状況は，データベース化され，ネットワーク内の全装置が保持している。また，各伝送装置は自身が内部のデータが更新されると，自身のデータベースを周囲の装置へ広告することで，ネットワーク内の全装置がデータベースを同期させている。
【０００８】
1.最初に始点装置である伝送装置♯１に対してパス設定コマンド（シグナリング要求）を投入する（図１７のａ）。
【０００９】
2.伝送装置♯１では伝送装置♯１から伝送装置♯４までの経路計算を行い，データベースを基に最短経路を算出する。この結果，図１６の(1) の経路（♯１〜♯４）が最短であることを検出する。
【００１０】
3.伝送装置♯１では(1) の経路となるポートの帯域を“空き”(free)状態から“予約”(hold)状態に遷移させ（図１７の５１ａ），以降の経路に対してパスメッセージ（Path MSG) を送信する（図１７のｂ〜ｄ）。
【００１１】
4.各パスメッセージを受信した各伝送装置♯２，♯３は，指定されたポートの帯域を“空き”状態から“予約”状態に遷移させ（図１７の５２ａ，５３ａ），次伝送装置にパスメッセージを転送する。
【００１２】
5.終点装置である伝送装置♯４は，帯域を“予約”状態から“確定”（inuse:使用中という場合もある）状態に遷移させ（図１７の５４ａ），伝送装置のパス設定（スイッチングを含むクロスコネクト）を実行して，自身のデータベースを更新し，前段の伝送装置♯３にリザーブメッセージ（Resv MSG) を送信する（図１７のｅ）。帯域の状態が“予約”から“確定”（使用中）に遷移した時点で，伝送装置♯４は自身の内部データが更新されたとして，自身のデータベースを周囲の装置へ広告するためのＯＳＰＦ広告のメッセージを送信する（図１７のｉ）。
【００１３】
6.  伝送装置♯３，♯２はパスメッセージが転送されてきた経路と逆順にリザーブメッセージを送信し（図１７のｆ，ｇ），リザーブメッセージを受けとった各伝送装置♯３〜♯１は，それぞれの帯域を“予約”から“確定”に状態を遷移させクロスコネクト（Xcon）を実行し（図１７の５３ｂ，５２ｂ，５１ｂ），自身のデータベースを更新し，自身のデータベースを周囲の装置へ広告するＯＳＰＦ広告のメッセージを送信する（図１７のｊ〜ｍ）。
【００１４】
7.始点装置である伝送装置♯１がリザーブメッセージを受信し，自身の装置へクロスコネクト設定を行うことで，経路全体へのクロスコネクトを完了する（図１７のｈ）。
【００１５】
8.各伝送装置の広告が完了した後は，ネットワーク内の全伝送装置が経路(1) で使用した帯域は“確定”（使用中）状態であることを認識している。経路計算は常に“空き”の帯域を探すため，以降はどの伝送装置から経路計算を行ったとしても，経路（１）で使用した帯域を算出することはない。
【００１６】
上記図１６の(1) の経路を運用系ルートとして生成した後，運用系ルートに障害が発生した場合に直ちに予備系ルート（代替ルート）により転送を行うため，予備系ルートとして各伝送装置♯１〜♯６でパス生成処理を行うと，(2) の経路で示す伝送装置♯１，♯５，♯６，♯４のパスが生成される。
【００１７】
不特定多数からの通信要求を，その転送情報の内容に応じて資源配分することを可能とし，且つ情報内容に応じて動的に資源配分を変更することができることを可能にするための通信装置及び通信方法が提案されている（特許文献１参照）。この提案された技術によれば，メッセージに付加されたメッセージ内容を示すインデックスを用いて，それに応じた通信帯域を割り当てる。その際，情報を伝送するために確保する通信帯域を固定帯域と変動帯域に分けて管理し，インデックスは，通信を開始する時点での固定帯域を確保する時と，変動帯域の帯域を融通する時に通信内容やメディアの特徴により客観的に優先度を決定するために用いる。固定帯域や変動帯域の確保において即時に確保できない場合を考慮して，スケジューリングによる通信予約の機能を実現する場合もインデックスを用いて客観的な優先度決定を行う。この技術によるサーバやルータにおけるデータ転送の手順では，データ選択（インデックス，サイズ，転送時間，帯域幅等）をし，ユーザリクエスト（転送開始希望日時等）を発行すると，ルータやサーバはリクエストされたデータについて固定帯域の優先度を決定し，端末，サーバや端末とサーバの間のルータは転送開始日時から転送が終了するまでの間の通信路を仮予約する。その仮予約は予め定められた入札期間内で通信要求を受け付け，複数の通信要求があるとそれぞれの優先度（評価値）に基づいて高い優先度のものを優先して帯域を仮予約し，入札期間終了後に通信資源の仮予約を本予約として登録し，ユーザにサービスの開始・終了時刻を通知する，という手順が用いられる。
【特許文献１】特開平１０−３０３９３２号公報
【発明の開示】
【発明が解決しようとする課題】
【００１８】
上記図１７に示す従来のＧＭＰＬＳネットワークにおいて(1) の経路で示す伝送装置♯１〜♯４のパスを運用系ルートとして生成し，予備系ルートして(2) の経路で示す伝送装置♯１，♯５，♯６，♯４のパスを生成した場合，(2) の経路上のパスは使用されないにも関わらず帯域が確保され続け，帯域が有効に活用されないという問題があり，これを解決するため予備系ルート(2) を設定しないで，(1) のみを設定して(2) を設定しない方法がある。その場合，仮に伝送装置♯３〜♯４間で障害が発生すると，伝送装置♯３は(1) の経路の始点装置である伝送装置♯１に警告メッセージ（Notify message) を通知する。伝送装置♯１はこれを受け取ると，再度迂回経路を計算してシグナリングを実施し，(2) の経路へ迂回するという手法を用いる。しかし，この場合は必ずしも予備系ルートが確立できるとは限らず，(2) の経路に既に別のパスが設定されている場合等には, 救済不可能になってしまうという問題がある。また, 伝送装置♯１での迂回経路再計算処理及び再シグナリング処理等に時間を要するという問題がある。
【００１９】
また，上記特許文献１による方法では，一定時間（入札期間等）だけ仮予約状態とし，その後に本予約状態にして帯域を確定する技術であり，上記ＧＭＰＬＳにおける運用系の予約の技術と同様であり，予備の経路を無駄に確保しないようにする技術を開示するものではない。
【００２０】
本発明はＧＭＰＬＳネットワークにおいて運用系ルートを確定した状態で，予備系ルートの帯域を専有することなく効率的に形成することができるＧＭＰＬＳのネットワークの始点と終点の伝送装置間に設定された運用系ルートに対応する予備系ルートの制御方式を提供することを目的とする。
【課題を解決するための手段】
【００２１】
図１は本発明の原理構成を示す。１はＧＭＰＬＳのネットワークを構成する複数の伝送装置であり，複数の伝送装置は♯１〜♯６により表し，この例では♯１が始点の伝送装置，♯４が終点の伝送装置である。１０はシグナリング処理部，１１は経路計算部，１２は運用系処理部，１２ａは帯域予約部，１２ｂは運用系パスメッセージ生成部，１２ｃは帯域を確定（または使用）状態に設定する帯域確定部，１３は予備系処理部，１３ａは帯域仮予約部，１３ｂは予備系パスメッセージ生成部，１４は各ポートの帯域の状態（空き，予約，確定（使用），仮予約）が格納される帯域管理テーブル，１５は帯域管理テーブル１４の状態変更を隣接する伝送装置に通知する広告部，１０１は運用系として選択したポート，１０２は予備系として選択したポート，(1) は運用系ルート，(2) は予備系ルートである。２０１，２０２は運用系ルートの伝送装置♯２の入力側と出力側のポート，３０１，３０２は伝送装置♯３の入力側と出力側のポート，４０１，４０２は伝送装置♯４の運用系ルートと，予備系ルートの入力側のポート，５０１，５０２は予備系ルートの伝送装置♯５の入力側と出力側のポート，６０１，６０２は予備系ルートの伝送装置♯６の入力側と出力側のポートである。
【００２２】
始点の伝送装置♯１に対し伝送装置♯４への運用系（または現用系）と予備系の確立を要求する入力が発生すると，伝送装置♯１のシグナリング処理部１０は経路計算部１１において帯域管理テーブル１４を参照して，最初に最短の経路の運用系ルート(1) を計算して，計算結果を運用系処理部１２に出力し，次に予備系ルート(2) を計算して計算結果を予備系処理部１３に出力する。なお，経路計算部１１では従来から知られた経路解析手法（ダイクストラと呼ばれる）を用いる。
【００２３】
運用系処理部１２では，運用系ルートの始点の伝送装置♯１のポート１０１の帯域から帯域予約部１２ａで要求された帯域について帯域管理テーブル１４の当該ポートの帯域について「空き」から「予約」の状態に設定することで帯域予約を行い，運用系パスメッセージを運用系パスメッセージ生成部１２ｂで生成して運用系の次の伝送装置♯２に送信する。この運用系パスメッセージには上記経路計算部１１の計算により求められたルート上の各伝送装置の帯域の情報が設定されている。伝送装置♯２では伝送装置♯１と同様の構成を備え，運用系ルートとして選択された入力側（伝送装置♯１と接続）のポート２０１と出力側のポート２０２についてそれぞれ帯域予約を行い，次の運用系ルート上の伝送装置♯３に対し運用系パスメッセージを生成して送信し，伝送装置♯３でも伝送装置♯２と同様に運用系ルートの帯域予約を行うと共に，運用系パスメッセージを伝送装置♯４に送信する。
【００２４】
運用系ルートの帯域予約が従来技術として説明したのと同様の手順で伝送装置♯４まで実行されると，従来技術と同様に終点の伝送装置♯４で帯域を確定（使用）の状態に設定し，前方の伝送装置♯３〜♯１に対して順番にリザーブメッセージ（Resv MSG) を送ることにより，各伝送装置の運用系のポートの予約帯域を「確定」（使用）の状態に遷移させると共にクロスコネクト（パスのスイッチング）を実行することで運用系のルートは各ポートを通る予約帯域のパスが確定（使用）の状態に設定されて，その帯域については他のユーザによる使用が禁止される。なお，運用系ルートの各伝送装置♯４〜♯１の順にそれぞれ「予約」状態の帯域を「確定」状態にしてラベルスイッチのクロスコネクトが形成されると，従来の技術と同様に隣接する伝送装置に対して，「確定」により状態が変化した帯域管理テーブル１４の情報を広告部１５から隣接する伝送装置に通知し，これを受けた各伝送装置で保持する帯域管理データを受信した情報により更新して，各伝送装置が同じ内容を保持することができる。
【００２５】
一方，予備系処理部１３は，経路計算部１１により伝送装置♯４への最短の予備系ルート（伝送装置♯１，♯５，♯６，♯４のルートとする）が求められると，当該伝送装置♯１では予備系ルートである伝送装置♯５に接続するポート１０２のパスについて，必要な帯域を本発明により新たに設けた帯域仮予約部１３ａにより帯域管理テーブル１４の該当ポートについて帯域を「仮予約」という状態に設定し，新たなパスメッセージとして予備系パスメッセージを予備系パスメッセージ生成部１３ｂで生成してポート１０２から予備系の次の伝送装置♯５のポート５０１に送信する。予備系パスメッセージには，経路計算部１１により求めた予備系ルート上の各伝送装置のポートを含むパス情報が設定されており，予備系ルートの伝送装置♯５，♯６及び♯４でも，それぞれ予備系ルートの各伝送装置の入力側ポート，出力側ポートを通って予備系パスメッセージが転送されると，各予備系の伝送装置♯５，♯６及び♯４では，予備系パスメッセージであることを識別すると，各帯域管理テーブル１４の予備系ポートについて帯域を「仮予約」の状態に設定する。この予備系パスメッセージが終点の伝送装置♯４に達すると，伝送装置♯４から予備系ルートの逆のルート（伝送装置♯６，♯５，♯１）をたどって逆方向に予備系のリザーブメッセージ（Resv MSG) が送信される。これにより，各伝送装置♯６，♯５，♯１では，それぞれの予備系ルートのポートの「仮予約」状態をそのまま維持し，広告部１５から隣接伝送装置への広告は行われない。なお，「仮予約」状態の各ポートの帯域は，経路計算において「空き」状態と同じものとして認識される。
【００２６】
運用系ルートに障害が発生した場合，障害を検出した伝送装置から始点の伝送装置♯１に警告メッセージが送信され，これを受けた伝送装置♯１は運用系ルートの伝送装置♯１〜♯４に対しパス削除のメッセージを送信して，運用系パスを削除して，各伝送装置の帯域管理テーブル１４の運用系の帯域を確定（使用）状態から空き状態に戻し，変更したデータを他の伝送装置に広告する。また，伝送装置♯１は，予備系ルートの各伝送装置（♯１のポートを含む♯６，♯５，♯４）に対して「仮予約」の状態として設定した帯域を，「確定」（使用）の状態に設定すると共に，パスのクロスコネクトを実行し，各伝送装置から隣接伝送装置に対し変更した状態を広告し，予備系ルートを運用系ルートとして運用を開始する。この時，伝送装置♯１では新たな運用系ルートに対する予備系ルートを求めるため予備経ルートの計算を実行し，求められた予備系ルートの各伝送装置に対して上記したのと同様に予備系パスメッセージを送信して，各予備系ルートのパスを「仮予約」状態に設定する。
【００２７】
予備系ルートの伝送装置（♯６，♯５等）において「仮予約」の状態に設定された帯域を，他のパスで使用する要求が発生すると，その要求を優先して，「仮予約」の解除を始点の伝送装置♯１に通知する。伝送装置♯１はこれを受けると，運用系が正常状態である間に，現在の予備系（仮予約状態）の伝送装置に対し「仮予約」解除を通知すると共に新たな予備系ルートの計算を実施し，対象装置に対し「仮予約」状態を通知することで，常時予備系ルートを確保することができる。
【００２８】
上記予備系ルートの計算において，経路の確保ができない場合は，警告を発生することで，運用系経路の通話中に調査，保守が可能となり，障害発生による運用系から予備系への切替時に救済不可能な状態が発生することを防ぐことが可能となる。
【発明の効果】
【００２９】
本発明によれば，ＧＭＰＬＳのネットワークにおいて運用系ルートを確定した状態で，予備系ルートは仮予約として予約を行うことで無駄に帯域を専有することがない。そして，運用系ルートに障害が発生した場合には，すみやかに仮予約の予備系ルートを運用系ルートに切替えることができる。また，本発明によれば予備系ルートを形成しても無駄に帯域を専有することがない。
【発明を実施するための最良の形態】
【００３０】
図２は上記図１に示す帯域管理テーブルの構成例である。図２の１４−１〜１４−ｎは一つの伝送装置に設けられた複数のポート（インタフェース・インデックス：ifindex)に対応して設定される情報であり, ポート番号１〜ポート番号ｎのそれぞれに対応して設けられ，各ポートは複数のコネクション（パス）により構成され，ポート１４−１（ポート番号１）はｍ個のコネクションを備え，各コネクションの中の１４０はコネクションＩＤ，１４１は始点を構成する伝送装置を表す始点ノードＩＰ（アドレス），１４２は終点ノードＩＰ，１４３は当該コネクションに関連する情報，１４４は帯域情報であり，４つの状態，すなわち空き（FREE),予約(HOLD), 確定（または使用：IN USE),仮予約(TEMP HOLD:Temporaly Hold)の何れかの状態を表す。各コネクションＩＤは同様の構成である。
【００３１】
図３は伝送装置内の運用系の動作を含む実施例の構成を示し，図４は伝送装置内の予備系の動作を含む実施例の構成を示す。図３，図４はネットワークの始点の伝送装置（図１の伝送装置♯１に対応）を表し，図３は主に運用系のシグナリング動作を表し，Ａ．はパスメッセージを送信する場合，Ｂ．はリザーブメッセージを受信した場合を表し，図４は主に予備系のシグナリング動作を表し，Ａ．はパスメッセージを送信する場合，Ｂ．はリザーブメッセージを受信した場合を表す。
【００３２】
図３，図４中，１は上記図１の伝送装置（♯１）に対応し，１ａはシグナリング部（図１の運用系処理部１２，予備系処理部１３を含むシグナリング処理部１０），１ｂは経路計算部（図１の１１に対応），１ｃは自装置が備える伝送路（ポート）の状態を格納したデータベースである帯域管理テーブル（ＬＳＤＢ(Label Switching Data-Base) と呼ぶこともある，図１の１４に対応），１ｄは最短パスのルーチングプロトコルであるＯＳＰＦ（Open Shortest Path First）機能を実行して帯域管理テーブルの広告を実行するＯＳＰＦ部（図１の１５に対応）である。
【００３３】
図３について運用系の動作を，図３のＡ．の(1) 〜(6) 及びＢ．の(7) 〜(9) として示す各動作について以下に順番に説明する。
【００３４】
(1) ＧＭＰＬＳシグナリング開始要求を始点の伝送装置♯１へ送信することで，シグナリング動作を開始する。
【００３５】
(2) 上記(1) のシグナリング開始要求を受信したシグナリング部１ａは，経路計算部１ｂへ経路計算依頼を行う。
【００３６】
(3) 経路計算部１ｂは，それまでにＯＳＰＦ部１ｄから受け取ったネットワーク情報を基に最短経路を計算し，結果をシグナリング部１ａに回答する。
【００３７】
(4) 上記(3) の回答を受信したシグナリング部１ａは，自伝送装置（♯１）の使用帯域（使用するポートのパス（コネクション））を「予約」に遷移させるため，帯域管理テーブル１ｃへ状態更新依頼を行う。
【００３８】
(5) 帯域管理テーブル１ｃでは，使用するポートのパス（コネクション）の帯域情報を「予約」に遷移して，シグナリング部１ａに回答する。
【００３９】
(6) シグナリング部１ａは経路情報，予約帯域情報をパスメッセージに載せて，隣接伝送装置（図１の伝送装置♯２）へ送信する。この運用系ルートへ送信されるパスメッセージの構成は後述する図５に示す。
【００４０】
(7) パスメッセージ送信後，ネットワークの終点の伝送装置（図１の伝送装置♯４）から生成されて，始点の伝送装置へ向けて逆方向に送信されたリザーブメッセージが伝送装置♯１で受信されると，帯域情報を「使用中」に遷移させるため，帯域管理テーブル１ｃに対して状態更新依頼を行う。
【００４１】
(8) 帯域情報が「使用中」に遷移すると，ＯＳＰＦ部１ｄへ通知を行い，ＯＳＰＦ部１ｄは隣接装置（図１の伝送装置♯２）へ更新された帯域管理テーブルの内容の広告を行う。
【００４２】
(9) ＯＳＰＦ部１ｄは，帯域管理テーブル１ｃが変化したことを経路計算部１ｂに通知し，ネットワークトポロジを更新させる。
【００４３】
図５は始点の伝送装置（♯１）から運用系ルートへ送信されるパスメッセージ（Path MSG) の構成例を示す。この構成例は，上記図１の運用系ルート（伝送装置♯１，♯２，♯３，♯４）のパスを形成するために生成されて，隣接の伝送装置♯２に送信される場合の例である。
【００４４】
パスメッセージの先頭にＩＰ(Internet Protocol) ヘッダ（図５のａ），次にＲＳＶＰ（Resource Reservation Protocol)ヘッダ（同ｂ），その後に各種のオブジェクト（同ｃ）が設けられ，その中にルートオブジェクト（ＥＲＯと略称される：Explicit Route Object ，図５のｄ）が含まれている。このルートオブジェクトには，図５に詳細な内容が示され，ｄ１，ｄ２は隣接する伝送装置♯２の入力側ポート２０１への設定情報が格納され，先頭のｄ１にＥＲＯサブオブジェクトとして伝送装置♯２の入力側のポート番号「２０１」，ｄ２にラベルサブオブジェクトとして「ラベル(Label) ＝Ｘ」（使用帯域としてＸを確保することを表す）が設定されている。次のｄ３，ｄ４は伝送装置♯３の入力側のポート３０１への設定情報が格納され，ラベル＝Ｙの帯域が設定され，更にｄ５，ｄ６は伝送装置♯４の入力側のポート４０１への設定情報が格納され，ラベル＝Ｚの帯域が設定される。
【００４５】
図４について予備系の動作を説明する。但し，上記の運用系と異なる部分を中心に説明する。すなわち，図３における上記(1),(2),(3) の動作により経路計算部１ｂによる予備系ルートの経路計算依頼の結果が得られると図４のＡ．に示す(1) 〜(3) の動作及びＢ．に示す(4),(5) の動作が行われる。
【００４６】
(1) 図４のシグナリング部１ａは，自伝送装置♯１の帯域情報を「仮予約」に遷移させるため，帯域管理テーブル１ｃへ状態更新依頼を行う。
【００４７】
(2) 帯域管理テーブル１ｃでは，使用するポートのパス（コネクション）の帯域情報を「仮予約」に遷移して，シグナリング部１ａに回答する。
【００４８】
(3) シグナリング部１ａは経路情報，仮予約帯域情報をパスメッセージに載せて，予備系ルートの隣接装置（図１の伝送装置♯５）へ送信する。この仮予約のパスを設定するためのパスメッセージの構成は後述する図６に示す。
【００４９】
(4) パスメッセージ送信後，ネットワークの終点の伝送装置（図１の伝送装置♯４）から生成されて，始点の伝送装置へ向けて逆方向に送信されたリザーブメッセージが伝送装置♯１で正常に受信されても，帯域情報の遷移を行わない。
【００５０】
(5) 帯域情報が「確定」（使用）に状態変更（遷移）しないため，ＯＳＰＦ部１ｄは隣接伝送装置♯５に広告することはなく，経路計算部１ｂにも帯域管理テーブル１ｃの情報は通知されない。
【００５１】
図６は予備系ルートへ送信されるパスメッセージ中に新たに設けたオブジェクトの構成例を示す。
【００５２】
このオブジェクトは従来のパスメッセージに含まれるオブジェクトを本発明により新たに拡張したものであり，始点の伝送装置（♯１）から予備系ルートへ送信されるパスメッセージ中に新たに設けたものである。図６の例は，予備系ルート（伝送装置♯１，♯５，♯６，♯４）を形成するためのパスメッセージ（Path MSG) （２）を伝送装置♯１から♯５に送信するが，上記図５に示すパスメッセージと同様のＩＰヘッダ，ＲＳＶＰヘッダと複数のオブジェクトが付加される構成となるが，図５に示すルートオブジェクト（ＥＲＯ）とは異なる帯域状態として「仮予約」を設定するために図６のｅに示す第２ルートオブジェクト（ＳＥＲＯ：Secondary Explicit Route Object)を使用する。その先頭のｅ１の「仮予約サブオブジェクト」（Temporary Reserve Subobject)として，本発明による予備系用（仮予約）パスメッセージを表示するビット（４ビット）が設定される。この例では，「0x01」により予備系用（仮予約）パスメッセージを表す。なお，予備系から運用系への切替を指示する切替用パスメッセージは，「0x02」により表す。
【００５３】
この第２ルートオブジェクト（ＳＥＲＯ）の中のｅ２，ｅ３の情報は伝送装置♯５の入力側のポート５０１に関する設定情報であり，ｅ２はポート番号（５０１）を表すＥＲＯサブオブジェクトであり，ｅ３は使用する帯域を含むラベルサブオブジェクトを表し，この例ではラベル＝Ｘの帯域が仮予約される。ｅ４，ｅ５は伝送装置♯６の入力側ポート６０１への設定情報であり，ｅ４は伝送装置♯６の入力側のポート番号（６０１）を表すＥＲＯサブオブジェクトであり，ｅ５はラベル＝Ｙの帯域を表すラベルサブオブジェクトを表し，ｅ６，ｅ７は伝送装置♯４の入力側のポート４０２への設定情報としてラベル＝Ｚが設定されていることを表す。
【００５４】
図７はラベルサブオブジェクトを予備系識別子に使用するための構成を示し，上記図６の構成を採用しない場合に使用する。
【００５５】
このラベルサブオブジェクト（Label Subobject)は，既存のパスメッセージの第２のルートオブジェクト（ＳＥＲＯ）に含まれるものであり，その中のリザーブビットを予備系識別子として拡張したものである。すなわち，ラベルサブオブジェクトは，図７に示すように１行３２ビットで複数行により構成され，その先頭行の３２ビットは，「Ｌ」（１ビット），「Type」（６ビット），「Length」（８ビット），「U 」（１ビット），の後の「Ｐ」で表す（２ビット：Ｐビットという）リザーブビットがあり，これを用いて予備系を識別するために使用する。具体的には，Ｐビットが「00」の場合は通常（運用系），「01」の場合は予備系用を表すものとし，「10」は切替用のパスメッセージを表すものとして使用する。
【００５６】
上記の図６に示す方法（ＳＥＲＯの中の予備系用パスメッセージを示すビット(Temp Reserve Subobject)を使用）を用いるか，上記図７に示すサブオブジェクトを使用するか，または予備系を仮予約しない（予備系を使用しない）動作の，３つの何れを用いるかは，ネットワークの立ち上げ時等にオプションとして選択することができる。
【００５７】
図８，図９は伝送装置♯１からの帯域予約動作の流れ（その１），（その２）を示す。図８は伝送装置♯１から♯２までの運用系と，伝送装置♯１から♯５への予備系の各メッセージの流れを示し，その動作の概要を以下に説明する。
【００５８】
ａ．運用・予備系の確立要求を受けた伝送装置♯１は運用系(1) と予備系(2) のそれぞれのルートを計算する。
【００５９】
ｂ．伝送装置♯１の運用系ルートのポート＝１０１は指定された帯域を「空き」状態から「予約」状態に設定する。
【００６０】
ｃ．伝送装置♯１の予備系ルートのポート＝１０２は，指定された帯域を「仮予約」状態に設定する。
【００６１】
ｄ．それぞれのルート用パスメッセージ(Path MSG)を生成し，該当ポートから次の装置へパスメッセージを送信する。
【００６２】
ｅ．パスメッセージを受信したポートは, 運用系であれば帯域を「予約」に，予備系であれば帯域を「仮予約」に設定し，パスメッセージを次の装置へ転送する。
【００６３】
図９は伝送装置♯３から♯４，♯３への運用系と，伝送装置♯６から♯４，♯６への予備系の各メッセージの流れを示し，その動作の概要を以下に説明する。
【００６４】
ａ．伝送装置♯３と♯６からそれぞれパスメッセージを受信した伝送装置♯４は，それぞれの帯域を「予約」，「仮予約」に設定する。
【００６５】
ｂ．運用系に指定されたポート＝４０１は，指定された帯域を「予約」状態から「使用」（確定）状態に設定する。
【００６６】
ｃ．予備系に指定されたポート＝４０２は，指定された帯域を「仮予約」状態のまま変更しない。
【００６７】
ｄ．それぞれのルート用パスメッセージを生成し，該当ポートから次の装置へリザーブメッセージ（Resv MSG) を送信する。
【００６８】
ｅ．リザーブメッセージを受信したポートは，運用系であれば帯域を「使用」（確定）に，予備系であれば帯域を「仮予約」とし，リザーブメッセージを次の装置へ転送する。
【００６９】
図１０はＯＳＰＦ部（図３の１ｄ）による帯域更新広告の処理を示す。
【００７０】
図１０のＡ．はネットワークにおいて伝送装置♯１から♯４へ運用系(1) と予備系(2) のシグナリングが実行される状態を示す。図１０のＢ．は，運用系(1) のルートで，♯４から♯１へリザーブメッセージが返り，装置内の帯域状態が「使用」（確定）に更新される様子を示す。図１０のＣ．は運用系(1) のルートの各伝送装置が帯域を更新したリンク情報（ＬＳＡ：Link State Advertising) を周辺装置へ広告する様子を示す。
【００７１】
上記図１０のＡ．〜Ｃ．に示す運用系(1) に対し，図１０のＤ．は予備系(2) において，終点の伝送装置♯４からリザーブメッセージ（Resv MSG) を逆方向に送信した時, 各伝送装置（♯６，♯５，♯１）においてそれぞれで受信されて，帯域情報を「仮予約」に更新しても，帯域更新の広告を行わない様子を示す。
【００７２】
図１１，図１２は複数のネットワークで共用する伝送装置を含む場合の処理動作（その１），（その２）を示す。図１１，図１２では伝送装置♯１〜♯４，♯６，♯５，♯１により第１のネットワークを構成し，伝送装置♯Ａ，♯Ｂ，♯６，♯Ｃ，♯Ｅ，♯Ｄ，♯Ａにより第２のネットワークを構成している。
【００７３】
図１１のａ．は第１のネットワークにおいて伝送装置♯１を始点として伝送装置♯４を終点とする運用系ルート（１）が伝送装置♯１，♯２，♯３，♯４により形成され，予備系ルート（２）が伝送装置♯１，♯５，♯６，♯４により形成された場合，伝送装置♯６の入力側と出力側のポートの帯域は「仮予約」であり，その帯域更新は広告されないため，他方の第２のネットワークの始点の伝送装置♯Ａから終点の伝送装置♯Ｃに接続する運用系ルートの経路計算では，伝送装置♯Ｂ及び♯Ｃ（同様に伝送装置♯５，♯４）と伝送装置♯６の間の伝送路は「空き」として参照される。そのため，第２のネットワークにおいて，♯Ａ，♯Ｂ，♯６，♯Ｃを通過する運用系ルートの経路計算を行うことができる。
【００７４】
この場合，図１１のｂ．に示すように伝送装置♯６の各ポートの状態（伝送装置♯Ｂ及び伝送装置♯Ｃから伝送装置♯６に接続するためのポートの状態）が「空き」状態（仮予約は内部状態であり，外部からは空き状態）であるものとして計算される。
【００７５】
図１１のｂ．の状態で，伝送装置♯６が第２のネットワークの運用系ルートを構成する伝送装置として経路計算により求められた場合，その運用系の始点の伝送装置♯Ａから生成された運用系パスメッセージの送信を行って，これを伝送装置♯Ｂを介して伝送装置♯６で受信すると，伝送装置♯６ではポートの帯域状態を『仮予約』から『予約』（確定）の状態に設定変更する（第１のネットワークでは予備系を構成するため「仮予約」であったが，第２のネットワークでは運用系パスメッセージにより運用系を構成するため「予約」となり，その後，後述するように「使用中」となる）。
【００７６】
このパスメッセージが終点の伝送装置♯Ｃに達すると，伝送装置♯Ｃからリザーブメッセージ（Resv MSG) が逆方向（伝送装置♯６，♯Ｂ，♯Ａの方向）に送信される。これを受信すると伝送装置♯６は，図１１のｃ．に示すように先に「予約」状態に設定された帯域が「使用中」（確定）状態に設定変更される。なお，リザーブメッセージを受信した他の伝送装置♯Ｂ，♯Ａでも順番に同様の設定変更が行われる。
【００７７】
図１１のｃ．に示す伝送装置♯６において，帯域の状態が「仮予約」から「予約」に変化すると，図１２のｄ．に示すようにその変化を検出することにより伝送装置♯６は，第１のネットワークの始点の伝送装置♯１に対して警告メッセージ（Notify Message) を送信し, 予備系ルートの状態が変化したことを通知する。
【００７８】
警報メッセージを受信した伝送装置♯１は，図１２のｅ．に示すように予備系ルート（♯１，♯５，♯６，♯４）に対し予備系用パスに対してパス削除（Path Tear)メッセージを送信し，「仮予約」を「空き」に変更する。これにより，該当する予備系ルートの各伝送装置のポートのパスの帯域は空きになる。
【００７９】
伝送装置♯１は予備系用パスのパス削除（Path Tear)メッセージを送信すると，改めて予備系ルートを確立するため，経路計算を実施し，図１２のｆ．に示すように新経路に予備系（３）パスメッセージ（Path MSG) を送信し，新たな予備系ルート（３）を確立する。この例では，新たな予備系ルート（３）は，伝送装置♯１，♯５，♯７，♯４である。
【００８０】
なお，伝送装置♯６は帯域が「使用中」になった時点で，帯域更新の広告としてＬＳＡ（Link State Advertising) を周辺装置へ送信する。
【００８１】
図１３は運用系切り替え発生時の処理を示す。
【００８２】
図１３のＡ．は運用系・予備系のパス設定が正常に行われている状態を示し，(1) の運用系ルート上で使用している帯域は「使用中」状態，(2) の予備系ルート上で使用している帯域は「仮予約」状態である。
【００８３】
運用系で障害が発生すると，図１３のＢ．に示すように障害を検出した伝送装置♯３が伝送装置♯１へ警告メッセージ（Notify MSG) を送信する。これを受信した伝送装置♯１は障害を検知して切替処理を行う。そのために切替用パスメッセージ（Path MSG) を作成する。
【００８４】
次に図１３のＣ．に示すように，運用系ルートのパスを削除するためパス削除（Path Tear)メッセージを運用系ルートに送信し, 同時に予備系ルートに切替用パスメッセージを送信する。
【００８５】
図１３のＤ．に示すように，上記切替用パスメッセージを受信した予備系ルートの各伝送装置♯５，♯６，♯４は運用系ルートに切替えられると，伝送装置♯１は元の運用系ルート（♯１，♯２，♯３，♯４）を再計算して新たな予備系ルートを求め，得られたルートに対し予備系用パスメッセージを送信する。
【００８６】
上記図１３のＣ．のパスメッセージにより予備系から運用系に切替えられ，帯域が「使用中」になった各伝送装置は，帯域更新広告としてＬＳＡを周辺伝送装置へ送信する。
【００８７】
図１４，図１５は同一ポートに複数のパスが形成された場合の切り替え処理（その１），（その２）を示す。図１４のａ．に示す構成は上記図１１のａ．と同様に２つのネットワークが伝送装置♯６を共通の装置として構成され，伝送装置♯１〜♯６により第１のネットワークが構成され，伝送装置♯Ａ〜♯Ｅにより第２のネットワークが構成されている。但し，第１のネットワークは，伝送装置♯１，♯２，♯３，♯４により運用系ルート（１）が構成され，伝送装置♯１，♯５，♯６，♯４により予備系ルート（２）が構成され，第２のネットワークは，伝送装置♯Ａ，♯Ｄ，♯Ｅ，♯Ｃにより運用系ルート（３）が構成され，伝送装置♯Ａ，♯Ｂ，♯６，♯Ｃにより予備系ルート（４）が構成されている。この構成では，伝送装置♯６は２つのネットワークに対して予備系ルートを構成する。この時，伝送装置♯６では同一のポートを２本のルートが予備系として使用しているものとし，図１４のｃ．に示すポート６０１内のチャネル１（ＣＨ１）を２つの予備系ルート（２）と（４）が使用しているが，予備系ルートであるため帯域は「仮予約」の状態に設定されている。この時，伝送装置♯６のポート（またはインタフェースインデックス）６０１についての帯域管理テーブルには図１４のｂ．に示す内容が設定されている。すなわち，コネクションＩＤ（２）は始点が伝送装置♯１であり，帯域情報としてＣＨ１は仮（仮予約を表す），ＣＨ２は空き，ＣＨ３は使用（使用中）の状態であり，コネクションＩＤ（４）は，始点が伝送装置♯Ａで，帯域情報はコネクションＩＤ（２）と同様である。
【００８８】
上記図１４のａ．のように，伝送装置♯６のポート６０１のＣＨ１が予約状態であったのに対して，新たに伝送装置♯α，♯β，♯γ，♯６から成るネットワークが追加された場合を図１５のｄ．に示す。この場合，その運用系ルート（５）が伝送装置♯α，♯６及び♯γで，予備系ルート（６）が伝送装置♯α，♯β，♯γとなる。このように伝送装置♯６のポート６０１のチャネルＣＨ１に新たに運用系のパスがパスメッセージにより形成されると，帯域の状態が「仮予約」から「予約」に切替えられる。すると，上記図１２のｄ．に示す原理によりポート６０１のＣＨ１を仮予約していた予備系ルートの始点の伝送装置♯１と伝送装置♯Ａに対してそれぞれ（２）用警告メッセージと（４）用警告メッセージが送信される。これを受信した伝送装置♯１と伝送装置♯Ａは，それぞれの予備系ルート上のコネクションＩＤに対して「仮予約」を「空き」にするためパス削除メッセージを送信し，新たな予備系ルートの経路計算を始める。
【００８９】
これにより，ポート６０１の帯域管理テーブルには新しくコネクションＩＤ（５）が追加され，図１５のｅ．に示すようなデータが追加される。この場合，ＣＨ１を「予約」としてテーブルに新規追加する。この時，ＣＨ１を「仮予約」として使用していた予備系（２）と予備系（４）は，テーブルに登録してある始点の伝送装置をそれぞれの宛先にして警告メッセージを送信する。予備系ルートの（２）と（４）は始点の伝送装置♯１と♯Ａからのパス削除メッセージを受け取ると帯域管理テーブルからコネクションＩＤを含むデータを消去する。
【００９０】
（付記１）  多数の伝送装置で構成するＧＭＰＬＳのネットワークの始点と終点の伝送装置間に設定される運用系ルートに対応する予備系ルートの制御方式において，前記始点の伝送装置から予備系ルートの伝送装置に対して送信される予備系パス設定メッセージ中に，当該予備系ルート上の各伝送装置の予備系パスを仮予約することを指示する情報を設け，前記予備系パス設定メッセージを受け取った各伝送装置はそれぞれの帯域管理テーブルの該当する予備系パスを外部からは空き状態として認識される仮予約の状態に設定することを特徴とする予備系ルートの制御方式。
【００９１】
（付記２）  付記１において，前記伝送装置の帯域管理テーブルの予備系パスが仮予約に設定されると，前記ネットワークの終点の伝送装置から，始点の伝送装置側へ送られるリザーブメッセージ（Reserve MSG) を受け取っても前記帯域管理テーブルの仮予約の状態を変更しないで維持すると共に，隣接する他の伝送装置に対して前記帯域管理テーブルの状態の広告を行わないことを特徴とする予備系ルートの制御方式。
【００９２】
（付記３）  付記１または２のいずれかにおいて，前記伝送装置の帯域管理テーブルに仮予約状態に設定された帯域は，他の始点と終点の伝送装置により形成されるネットワークにおける予備系パスの帯域の仮予約状態として共存できることを特徴とする予備系ルートの制御方式。
【００９３】
（付記４）  付記１において，前記予備系パス設定メッセージ中の各伝送装置の予備系パスを仮予約することを指示する情報は，第２のルートオブジェクト（ＳＥＲＯ）の先頭に設けた予備系パス設定メッセージを表すビット列により構成することを特徴とする予備系ルートの制御方式。
【００９４】
（付記５）  付記１において，前記予備系パス設定メッセージ中の各伝送装置の予備系パスを仮予約することを指示する情報は，前記パス設定メッセージ中のラベルサブオブジェクトの中のリザーブビットにより構成することを特徴とする予備系ルートの制御方式。
【００９５】
（付記６）  多数の伝送装置で構成するＧＭＰＬＳのネットワークの始点と終点の伝送装置間に設定される運用系ルートに対応する予備系ルートの制御方式において，前記始点の伝送装置から予備系ルートの伝送装置に対して送信される予備系パス設定メッセージにより当該予備系ルート上の各伝送装置の予備系パスを仮予約することを指示する情報として，第２のルートオブジェクト（ＳＥＲＯ）の先頭に設けた予備系パス設定メッセージを表すビット列により構成するか，前記予備系パス設定メッセージ中のラベルサブオブジェクトの中のリザーブビットにより構成するか，または予備系パスの仮予約を行わないかの何れか一つを予め選択し，前記予備系パス設定メッセージを受け取った各伝送装置はそれぞれの帯域管理テーブルの該当する予備系パスを外部からは空き状態として識別される仮予約の状態に設定することを特徴とする予備系ルートの制御方式。
【００９６】
（付記７）  付記１乃至６の何れかにおいて，前記運用系ルートに故障が発生すると，故障を検出した伝送装置から前記始点の伝送装置に対して警告メッセージを送信し，前記始点の伝送装置は，前記警告メッセージを受信すると前記予備系ルートに対して運用系への切替用パスメッセージを送信し，前記切替用パスメッセージを受けた各伝送装置はそれぞれの帯域管理テーブルの予備系パスの状態を仮予約から使用中の状態に更新して予備系ルートを運用系ルートに切替えると共に，更新した帯域管理テーブルを隣接する他の伝送装置に広告して各伝送装置の帯域管理テーブルを更新することを特徴とする予備系ルートの制御方式。
【００９７】
（付記８）  付記７において，前記始点の伝送装置は，前記障害が発生した運用系ルートに対してパス削除メッセージを送信して，該当する各伝送装置の帯域管理テーブルの運用系パスの状態を使用中から空きの状態に設定し，経路計算部により前記更新した帯域管理テーブルを用いて計算を行い新たな予備系ルートを求めることを特徴とする予備系ルートの制御方式。
【００９８】
（付記９）  付記１において，前記予備系ルート上の予備系パスが設定された伝送装置が，前記予備系ルートの始点と終点が異なる別のネットワークの伝送装置を始点とするネットワークの運用系パスとして使用する場合，前記予備系パスに対して設定された仮予約の状態を開放し，改めて経路計算部による計算により予備経路を再構築することを特徴とする予備系ルートの制御方式。
（付記１０）  付記９において，前記経路計算部による計算により予備系ルートの再構築ができないと，警告メッセージを発生することを特徴とする予備系ルートの制御方式。
【図面の簡単な説明】
【００９９】
【図１】本発明の原理構成を示す図である。
【図２】帯域管理テーブルの構成例を示す図である。
【図３】伝送装置内の運用系の動作を含む実施例の構成を示す図である。
【図４】伝送装置内の予備系の動作を含む実施例の構成を示す図である。
【図５】始点の伝送装置から運用系ルートへ送信されるパスメッセージの構成例を示す図である。
【図６】予備系ルートへ送信されるパスメッセージ中に新たに設けたオブジェクトの構成例を示す図である。
【図７】ラベルサブオブジェクトを予備系識別子に使用する構成を示す図である。
【図８】始点の伝送装置からの帯域予約動作の流れ（その１）を示す図である。
【図９】始点の伝送装置からの帯域予約動作の流れ（その２）を示す図である。
【図１０】ＯＳＰＦ部による帯域更新広告の処理を示す図である。
【図１１】複数のネットワークで共用する伝送装置を含む場合の処理動作（その１）を示す図である。
【図１２】複数のネットワークで共用する伝送装置を含む場合の処理動作（その２）を示す図である。
【図１３】運用系切り替え発生時の処理を示す図である。
【図１４】同一ポートに複数のパスが形成された場合の切り替え処理（その１）を示す図である。
【図１５】同一ポートに複数のパスが形成された場合の切り替え処理（その２）を示す図である。
【図１６】ＧＭＰＬＳネットワークの構成例を示す図である。
【図１７】従来の基本的なパス設定シーケンスを示す図である。
【符号の説明】
【０１００】
１          伝送装置（♯１〜♯６）
１０        シグナリング処理部
１１        経路計算部
１２        運用系処理部
１２ａ      帯域予約部
１２ｂ      運用系パスメッセージ生成部
１２ｃ      帯域確定部
１３        予備系処理部
１３ａ      帯域仮予約部
１３ｂ      予備系パスメッセージ生成部
１４        帯域管理テーブル
１５        広告部
１０１      ポート
１０２      ポート
(1)         運用系ルート
(2)         予備系ルート
２０１，２０２    伝送装置♯２の入力側と出力側のポート
３０１，３０２    伝送装置♯３の入力側と出力側のポート
４０１，４０２    伝送装置♯４の運用系ルートと予備系ルートの入力側のポート
５０１，５０２    伝送装置♯５の入力側と出力側のポート
６０１，６０２    伝送装置♯６の入力側と出力側のポート
【図１】
2008060755.tif 000003
【図２】
2008060755.tif 000004
【図３】
2008060755.tif 000005
【図４】
2008060755.tif 000006
【図５】
2008060755.tif 000007
【図６】
2008060755.tif 000008
【図７】
2008060755.tif 000009
【図８】
2008060755.tif 000010
【図９】
2008060755.tif 000011
【図１０】
2008060755.tif 000012
【図１１】
2008060755.tif 000013
【図１２】
2008060755.tif 000014
【図１３】
2008060755.tif 000015
【図１４】
2008060755.tif 000016
【図１５】
2008060755.tif 000017
【図１６】
2008060755.tif 000018
【図１７】
2008060755.tif 000019